(57)【要約】      （修正有）【課題】廃棄物海面処分場に敷設される二重遮水シートの破損特定システムを提供する。【解決手段】廃棄物海面処分場の少なくとも護岸斜面の傾斜方向に沿って敷設される二重遮水シート１の破損特定システムを、二重遮水シート１の略内部全体に配備されている中間保護層２と海水側の遮水シート1aとの間であって海面下に位置する部分に所定間隔毎に設置されている２以上の各内部電極３及び／又は中間保護層２と護岸斜面側の遮水シート1aとの間であって海面下に位置する部分に所定間隔毎に設置されている２以上の各内部電極３に接続されている各配線を二重遮水シート１外部へと引き出し、所定電圧が印加可能な電源部5aと通電電流値が測定可能な測定部5bとを備えた電源供給装置５に海中又は護岸斜面上に設置される固定外部電極４の配線を接続し、且つ電源供給装置５に各内部電極３の配線を内部電極３毎に通電可能に接続することにより構成する。【選択図】図１
2008076355.tif 000002
【特許請求の範囲】
【請求項１】
長手方向と平行な線に対して略対称な形状の対向する一対の遮水シート(1a)の周囲の少なくとも海水と接する部分の端縁が密着されて袋状を成し廃棄物海面処分場の少なくとも護岸斜面の傾斜方向に沿って敷設される二重遮水シート(１)の破損特定システムであって、
二重遮水シート(１)の略内部全体に配備されている中間保護層(２)と海水側の遮水シート(1a)との間であって海面下に位置する部分における二重遮水シート(１)の該長手方向に所定間隔毎に設置されている２以上の各内部電極(３)及び／又は中間保護層(２)と護岸斜面側の遮水シート(1a)との間であって海面下に位置する部分における二重遮水シート(１)の該長手方向に所定間隔毎に設置されている２以上の各内部電極(３)に接続されている各配線が、海中で引き出されている場合には絶縁性と二重遮水シート(１)の遮水性とが、陸上で引き出されている場合には絶縁性がそれぞれ確保されて二重遮水シート(１)外部へと引き出されており、
所定電圧が印加可能な電源部(5a)と通電電流値が測定可能な測定部(5b)とを備えた電源供給装置(５)に二重遮水シート(１)が敷設される海中又は護岸斜面上に設置される固定外部電極(４)の配線が接続されており、且つ電源供給装置(５)に前記各内部電極(３)の配線が内部電極(３)毎に通電可能にそれぞれ接続されていることを特徴とする損傷孔の位置を推定可能な二重遮水シートの破損特定システム。
【請求項２】
長手方向と平行な線に対して略対称な形状の対向する一対の遮水シート(1a)の周囲の少なくとも海水と接する部分の端縁が密着されて袋状を成し廃棄物海面処分場の少なくとも護岸斜面の傾斜方向に沿って敷設される二重遮水シート(１)の破損特定システムであって、
二重遮水シート(１)の略内部全体に配備されている中間保護層(２)と海水側の遮水シート(1a)との間であって海面下に位置する部分における二重遮水シート(１)の該長手方向に所定間隔毎に設置されている２以上の各内部電極(３)及び／又は中間保護層(２)と護岸斜面側の遮水シート(1a)との間であって海面下に位置する部分における二重遮水シート(１)の該長手方向に所定間隔毎に設置されている２以上の各内部電極(３)に接続されている各配線が、海中で引き出されている場合には絶縁性と二重遮水シート(１)の遮水性とが、陸上で引き出されている場合には絶縁性がそれぞれ確保されて二重遮水シート(１)外部へと引き出されており、
所定電圧が印加可能な電源部(5a)と通電電流値が測定可能な測定部(5b)とを備えた電源供給装置(５)に二重遮水シート(１)が敷設される海中及び護岸斜面上に設置される固定外部電極(４)の配線が固定外部電極(４)毎に通電可能に接続されており、且つ電源供給装置(５)に前記各内部電極(３)の配線が内部電極(３)毎に通電可能にそれぞれ接続されていることを特徴とする損傷孔が海水側か護岸斜面側かを特定可能及び損傷孔の位置を推定可能な二重遮水シートの破損特定システム。
【請求項３】
長手方向と平行な線に対して略対称な形状の対向する一対の遮水シート(1a)の周囲の少なくとも海水と接する部分の端縁が密着されて袋状を成し廃棄物海面処分場の少なくとも護岸斜面の傾斜方向に沿って敷設される二重遮水シート(１)の破損特定システムであって、
二重遮水シート(１)の略内部全体に配備されている中間保護層(２)と海水側の遮水シート(1a)との間であって海面下に位置する部分における二重遮水シート(１)の該長手方向に所定間隔毎に設置されている２以上の各内部電極(３)及び／又は中間保護層(２)と護岸斜面側の遮水シート(1a)との間であって海面下に位置する部分における二重遮水シート(１)の該長手方向に所定間隔毎に設置されている２以上の各内部電極(３)に接続されている各配線が、海中で引き出されている場合には絶縁性と二重遮水シート(１)の遮水性とが、陸上で引き出されている場合には絶縁性がそれぞれ確保されて二重遮水シート(１)外部へと引き出されており、
所定電圧が印加可能な電源部(5a)と通電電流値が測定可能な測定部(5b)とを備えた電源供給装置(５)に二重遮水シート(１)が敷設される海中又は護岸斜面上に設置される固定外部電極(４)の配線が通電可能又は遮断可能に接続されており、且つ電源供給装置(５)に前記各内部電極(３)の配線が内部電極(３)毎に通電可能若しくは全てを遮断可能又は内部電極(３)間で通電可能にそれぞれ接続されていることを特徴とする損傷孔の位置を算定可能な二重遮水シートの破損特定システム。
【請求項４】
長手方向と平行な線に対して略対称な形状の対向する一対の遮水シート(1a)の周囲の少なくとも海水と接する部分の端縁が密着されて袋状を成し廃棄物海面処分場の少なくとも護岸斜面の傾斜方向に沿って敷設される二重遮水シート(１)の破損特定システムであって、
二重遮水シート(１)の略内部全体に配備されている中間保護層(２)と海水側の遮水シート(1a)との間であって海面下に位置する部分における二重遮水シート(１)の該長手方向に所定間隔毎に設置されている２以上の各内部電極(３)及び／又は中間保護層(２)と護岸斜面側の遮水シート(1a)との間であって海面下に位置する部分における二重遮水シート(１)の該長手方向に所定間隔毎に設置されている２以上の各内部電極(３)に接続されている各配線が、海中で引き出されている場合には絶縁性と二重遮水シート(１)の遮水性とが、陸上で引き出されている場合には絶縁性がそれぞれ確保されて二重遮水シート(１)外部へと引き出されており、
所定電圧が印加可能な電源部(5a)と通電電流値が測定可能な測定部(5b)とを備えた電源供給装置(５)に二重遮水シート(１)が敷設される海中及び護岸斜面上に設置される固定外部電極(４)の配線が固定外部電極(４)毎に通電可能又は全てが遮断可能に接続されており、且つ電源供給装置(５)に前記各内部電極(３)の配線が内部電極(３)毎に通電可能若しくは全てを遮断可能又は内部電極(３)間で通電可能にそれぞれ接続されていることを特徴とする損傷孔が海水側か護岸斜面側かを特定可能及び損傷孔の位置を推定可能な二重遮水シートの破損特定システム。
【請求項５】
算定された損傷孔の位置の略鉛直線上において所定の海中深さまで電極部を可動できる３以上の可動式外部電極(６)を更に備えていて、電源供給装置(５)に可動式外部電極(６)の配線が可動式外部電極(６)毎に通電可能若しくは全てを遮断可能又は可動式外部電極(６)間で通電可能にそれぞれ接続されていて損傷孔の大きさも算定可能な請求項３又は４に記載の二重遮水シートの破損特定システム。
【請求項６】
各内部電極(３)が二重遮水シート(１)内の中間保護層(２)の幅方向中央部に設置されている請求項１から５までのいずれか１項に記載の二重遮水シートの破損特定システム。
【請求項７】
中間保護層(２)との間に各内部電極(３)が配置されるように通水性シート(７)が二重遮水シート(１)内に更に設けられている請求項１から６までのいずれか１項に記載の二重遮水シートの破損特定システム。
【発明の詳細な説明】
【技術分野】
【０００１】
本発明は、廃棄物海面処分場に敷設される二重遮水シートの破損特定システムに関するものである。
【背景技術】
【０００２】
近年、陸上での廃棄物処分場の確保が困難となりつつあり、廃棄物海面処分場が注目されている。このような廃棄物海面処分場では、汚水が地面からしみ込んで環境破壊等が発生することがないように、十分な遮水工を施すことが求められているため、予め遮水性の高い二重遮水シートが護岸斜面に敷設され、また海底が遮水性の高い自然堆積粘土地盤でないような場合には海底にも二重遮水シートが敷設される。
【０００３】
また、陸上の廃棄物処分場においても、廃棄物で汚染された雨水等が地中にしみ込まないように廃棄物処分場となる凹所に二重遮水シートを敷設する遮水工事が行われている。このような陸上や海上で使用される二重遮水シートは堆積した廃棄物によって破損する可能性があるため、その維持管理が非常に重要となっている。特に廃棄物海面処分場では潮汐、波浪等の時々刻々変化する厳しい外的作用を受け劣化し易い上に、その維持管理が非常に困難である。
【０００４】
このような廃棄物処分場に敷設される二重遮水シートの漏水検知システムとしては、複数の区画に区分された二重遮水シートと、前記複数の区画それぞれの内部に設置されたシート内基準電極と、地盤に設置される複数の下部検知電極と、凹所に設置される少なくとも１つの上部検知電極とを備える漏水検知システムがある（例えば、特許文献１参照。）。
この漏水検知システムは、内部が複数の区画に区分された特殊な二重遮水シートを使用するものであり、二重遮水シートが破損した際にその破損した区画のみが浸水するので、その区画内のシート内基準電極と外部の上部検知電極とを水を介して通電させることによって、漏水箇所が検知できるシステムである。そのため、漏水箇所を的確に検知するためには内部を細かく区画した非常に特殊な二重遮水シートが必要となるだけでなく、各区画に設置されるシート内基準電極も非常に多く必要となり、管理が煩雑である欠点がある。
【０００５】
また、遮水シート内部を区画する必要がない破損検出方法としては、遮水シート状材料の上部に設けられた電極と、遮水シート状材料内の導電性膜との間に通電して、通電の変化を測定することを特徴とする廃棄物堆積場における遮水シート状材料破損の検出方法がある（例えば、特許文献２（請求項５）参照。）。しかしながら、この検出方法では、遮水シート状材料内部に遮水シート状材料と略同形の金属箔等の導電性膜を配置しなければならず（図２〜５）、導電性膜は遮水シート状材料と略同形をなす１つの大きな電極となるため、遮水シート状材料が破損して導電性膜と外部電極とが通電可能となった際に、破損位置を大まかにも特定することもできない欠点がある。
【０００６】
【特許文献１】特開２００２−５５０１７号公報
【特許文献２】特開２００２−３０１４４３号公報
【０００７】
またこれらのシステムや方法は、陸上の廃棄物処分場で行われるものであり、潮汐、波浪等の時々刻々変化する厳しい外的作用を受ける廃棄物海面処分場では、これらのシステムや方法を安易に導入することは難しい。従って、廃棄物海面処分場では、多くの測定作業によって膨大なデータを取得して損傷孔の位置等を特定するより、少数のデータを解析して損傷孔の位置等を特定するシステムの方がより適しているのである。
【０００８】
また廃棄物海面処分場では、補修作業も非常に困難であるため、損傷の程度によって様々な対応策が取れるように、損傷孔の大きさを特定することができるシステムも望まれている。
【発明の開示】
【発明が解決しようとする課題】
【０００９】
本発明は前記の問題に鑑み、廃棄物海面処分場に敷設される二重遮水シートの破損特定システムを提供することを課題とする。
【課題を解決するための手段】
【００１０】
本発明者らは前記課題を解決すべく鋭意検討を重ねた結果、二重遮水シートの略内部全体に配備されている中間保護層と海水側の遮水シートとの間であって海面下に位置する部分における二重遮水シートの該長手方向に所定間隔毎に設置されている２以上の各内部電極及び／又は中間保護層と護岸斜面側の遮水シートとの間であって海面下に位置する部分における二重遮水シートの該長手方向に所定間隔毎に設置されている２以上の各内部電極に接続されている各配線を、海中で引き出されている場合には絶縁性と二重遮水シートの遮水性とを、陸上で引き出されている場合には絶縁性をそれぞれ確保した状態で二重遮水シート外部へと引き出し、所定電圧が印加可能な電源部と通電電流値が測定可能な測定部とを備えた電源供給装置に二重遮水シートが敷設される海中又は護岸斜面上に設置される固定外部電極の配線を接続し、且つこの電源供給装置に前記各内部電極の配線を内部電極毎に通電可能にそれぞれ接続した二重遮水シートの破損特定システムとすれば、固定外部電極と任意の１つの内部電極との間で通電ができるか否かによって容易に二重遮水シートの損傷の有無が確認でき、また損傷孔があることを確認した後に各内部電極毎に固定外部電極との間で通電することによって、通電電流値の値が大きい内部電極ほど損傷孔の近くにあると考えられるので、各通電電流値を比較することによって損傷孔が二重遮水シートのどこにできているかを簡便に推定することができ、
またこの二重遮水シートの破損特定システムにおいて固定外部電極を海中又は護岸斜面上の一方に設置する代わりに、固定外部電極を海中及び護岸斜面上の両側に設置すれば、同じ内部電極に対して海中側の固定外部電極と護岸斜面上の固定外部電極とをそれぞれ通電し通電電流値を比較することで、損傷孔が海水側か護岸斜面側かを特定することが容易にでき、
損傷孔の位置を厳密に特定したい場合には、二重遮水シートの略内部全体に配備されている中間保護層と海水側の遮水シートとの間であって海面下に位置する部分における二重遮水シートの該長手方向に所定間隔毎に設置されている２以上の各内部電極及び／又は中間保護層と護岸斜面側の遮水シートとの間であって海面下に位置する部分における二重遮水シートの該長手方向に所定間隔毎に設置されている２以上の各内部電極に接続されている各配線を、海中で引き出されている場合には絶縁性と二重遮水シートの遮水性とを、陸上で引き出されている場合には絶縁性をそれぞれ確保した状態で二重遮水シート外部へと引き出し、所定電圧が印加可能な電源部と通電電流値が測定可能な測定部とを備えた電源供給装置に二重遮水シートが敷設される海中又は護岸斜面上に設置される固定外部電極の配線を通電可能又は遮断可能に接続し、且つ電源供給装置に前記各内部電極の配線を内部電極毎に通電可能若しくは全てを遮断可能又は内部電極間で通電可能にそれぞれ接続した二重遮水シートの破損特定システムとすれば、二重遮水シート内部に３以上の内部電極が配置されていて固定外部電極や各内部電極の通電や遮断が自在に行えるので、固定外部電極と各内部電極と間の通電に加えて、内部電極間の通電も可能となり、その結果、二重遮水シート内の各内部電極の抵抗値や損傷孔と各内部電極との間の内部抵抗値が算出でき、これらの内部抵抗値は損傷孔から二重遮水シート内部の各内部電極までの距離と比例することから、各内部抵抗値から損傷孔と各内部電極との間の距離を算出することで損傷孔の位置を厳密に算定することができ、
またこの二重遮水シートの破損特定システムにおいて固定外部電極を海中又は護岸斜面上の一方に設置する代わりに、固定外部電極を海中及び護岸斜面上の両側に設置すれば、同じ内部電極に対して海中側の固定外部電極と護岸斜面上の固定外部電極とをそれぞれ通電し通電電流値を比較することで、損傷孔が海水側か護岸斜面側かを特定することが容易にでき、
また、前記した４つの二重遮水シートの破損特定システムの後者の２つの二重遮水シートの破損特定システムにおいて、二重遮水シートの内部と外部とは損傷孔を通して通電されるのであるが、その際に損傷孔が小さいほど大きな電気抵抗となるので、この損傷孔の抵抗値を算出すれば損傷孔の大きさが算定できるから、算定された損傷孔の位置の略鉛直線上において所定の海中深さまで電極部を可動できる３以上の可動式外部電極を更に設け、電源供給装置に可動式外部電極の配線が可動式外部電極毎に通電可能若しくは全てを遮断可能又は可動式外部電極間で通電可能にそれぞれ接続すれば、固定外部電極等と内部電極との間の通電及び内部電極間の通電に加えて、固定外部電極や可動式外部電極による外部電極間の通電を行うことができ、新たに海中の抵抗値等が得られ、直接算出することが難しい損傷孔の抵抗値を除いて全ての各抵抗値をそれぞれ算出することが可能となるので、二重遮水シートの内部と外部とで通電して別途算出された全抵抗値の合計から損傷孔の抵抗値以外の各抵抗値を差し引くことによって損傷孔の抵抗値を算出して、この損傷孔の抵抗値に応じて損傷孔の大きさも算定することができることを究明して本発明を完成したのである。
【００１１】
即ち本発明は、長手方向と平行な線に対して略対称な形状の対向する一対の遮水シートの周囲の少なくとも海水と接する部分の端縁が密着されて袋状を成し廃棄物海面処分場の少なくとも護岸斜面の傾斜方向に沿って敷設される二重遮水シートの破損特定システムであって、二重遮水シートの略内部全体に配備されている中間保護層と海水側の遮水シートとの間であって海面下に位置する部分における二重遮水シートの該長手方向に所定間隔毎に設置されている２以上の各内部電極及び／又は中間保護層と護岸斜面側の遮水シートとの間であって海面下に位置する部分における二重遮水シートの該長手方向に所定間隔毎に設置されている２以上の各内部電極に接続されている各配線が、海中で引き出されている場合には絶縁性と二重遮水シートの遮水性とが、陸上で引き出されている場合には絶縁性がそれぞれ確保されて二重遮水シート外部へと引き出されており、所定電圧が印加可能な電源部と通電電流値が測定可能な測定部とを備えた電源供給装置に二重遮水シートが敷設される海中又は護岸斜面上に設置される固定外部電極の配線が接続されており、且つ電源供給装置に前記各内部電極の配線が内部電極毎に通電可能にそれぞれ接続されていることを特徴とする損傷孔の位置を推定可能な二重遮水シートの破損特定システムと、
長手方向と平行な線に対して略対称な形状の対向する一対の遮水シートの周囲の少なくとも海水と接する部分の端縁が密着されて袋状を成し廃棄物海面処分場の少なくとも護岸斜面の傾斜方向に沿って敷設される二重遮水シートの破損特定システムであって、二重遮水シートの略内部全体に配備されている中間保護層と海水側の遮水シートとの間であって海面下に位置する部分における二重遮水シートの該長手方向に所定間隔毎に設置されている２以上の各内部電極及び／又は中間保護層と護岸斜面側の遮水シートとの間であって海面下に位置する部分における二重遮水シートの該長手方向に所定間隔毎に設置されている２以上の各内部電極に接続されている各配線が、海中で引き出されている場合には絶縁性と二重遮水シートの遮水性とが、陸上で引き出されている場合には絶縁性がそれぞれ確保されて二重遮水シート外部へと引き出されており、所定電圧が印加可能な電源部と通電電流値が測定可能な測定部とを備えた電源供給装置に二重遮水シートが敷設される海中及び護岸斜面上に設置される固定外部電極の配線が固定外部電極毎に通電可能に接続されており、且つ電源供給装置に前記各内部電極の配線が内部電極毎に通電可能にそれぞれ接続されていることを特徴とする損傷孔が海水側か護岸斜面側かを特定可能及び損傷孔の位置を推定可能な二重遮水シートの破損特定システムと、
長手方向と平行な線に対して略対称な形状の対向する一対の遮水シートの周囲の少なくとも海水と接する部分の端縁が密着されて袋状を成し廃棄物海面処分場の少なくとも護岸斜面の傾斜方向に沿って敷設される二重遮水シートの破損特定システムであって、二重遮水シートの略内部全体に配備されている中間保護層と海水側の遮水シートとの間であって海面下に位置する部分における二重遮水シートの該長手方向に所定間隔毎に設置されている２以上の各内部電極及び／又は中間保護層と護岸斜面側の遮水シートとの間であって海面下に位置する部分における二重遮水シートの該長手方向に所定間隔毎に設置されている２以上の各内部電極に接続されている各配線が、海中で引き出されている場合には絶縁性と二重遮水シートの遮水性とが、陸上で引き出されている場合には絶縁性がそれぞれ確保されて二重遮水シート外部へと引き出されており、所定電圧が印加可能な電源部と通電電流値が測定可能な測定部とを備えた電源供給装置に二重遮水シートが敷設される海中又は護岸斜面上に設置される固定外部電極の配線が通電可能又は遮断可能に接続されており、且つ電源供給装置に前記各内部電極の配線が内部電極毎に通電可能若しくは全てを遮断可能又は内部電極間で通電可能にそれぞれ接続されていることを特徴とする損傷孔の位置を算定可能な二重遮水シートの破損特定システムと、
長手方向と平行な線に対して略対称な形状の対向する一対の遮水シートの周囲の少なくとも海水と接する部分の端縁が密着されて袋状を成し廃棄物海面処分場の少なくとも護岸斜面の傾斜方向に沿って敷設される二重遮水シートの破損特定システムであって、二重遮水シートの略内部全体に配備されている中間保護層と海水側の遮水シートとの間であって海面下に位置する部分における二重遮水シートの該長手方向に所定間隔毎に設置されている２以上の各内部電極及び／又は中間保護層と護岸斜面側の遮水シートとの間であって海面下に位置する部分における二重遮水シートの該長手方向に所定間隔毎に設置されている２以上の各内部電極に接続されている各配線が、海中で引き出されている場合には絶縁性と二重遮水シートの遮水性とが、陸上で引き出されている場合には絶縁性がそれぞれ確保されて二重遮水シート外部へと引き出されており、所定電圧が印加可能な電源部と通電電流値が測定可能な測定部とを備えた電源供給装置に二重遮水シートが敷設される海中及び護岸斜面上に設置される固定外部電極の配線が固定外部電極毎に通電可能又は全てが遮断可能に接続されており、且つ電源供給装置に前記各内部電極の配線が内部電極毎に通電可能若しくは全てを遮断可能又は内部電極間で通電可能にそれぞれ接続されていることを特徴とする損傷孔が海水側か護岸斜面側かを特定可能及び損傷孔の位置を算定可能な二重遮水シートの破損特定システムと、
上記４つの二重遮水シートの破損特定システムのうち後者の２つの二重遮水シートの破損特定システムにおいて、算定された損傷孔の位置の略鉛直線上において所定の海中深さまで電極部を可動できる３以上の可動式外部電極を更に備えていて、電源供給装置に可動式外部電極の配線が可動式外部電極毎に通電可能若しくは全てを遮断可能又は可動式外部電極間で通電可能にそれぞれ接続されていて損傷孔の大きさも算定可能な二重遮水シートの破損特定システムとである。
【００１２】
更に各内部電極が二重遮水シート内の中間保護層の幅方向中央部に設置されていれば、損傷孔が二重遮水シートの幅方向のどちら側に生じても、測定の精度に大きな偏りが生じ難いので好ましく、また、中間保護層との間に各内部電極が配置されるように通水性シートが二重遮水シート内に更に設けられていれば、内部電極の汚れや損傷を減少させることができて好ましいのである。
【発明の効果】
【００１３】
本発明に係る二重遮水シートの破損特定システムは、長手方向と平行な線に対して略対称な形状の対向する一対の遮水シートの周囲の少なくとも海水と接する部分の端縁が密着されて袋状を成し廃棄物海面処分場の少なくとも護岸斜面の傾斜方向に沿って敷設される二重遮水シートの破損特定システムであって、二重遮水シートの略内部全体に配備されている中間保護層と海水側の遮水シートとの間であって海面下に位置する部分における二重遮水シートの該長手方向に所定間隔毎に設置されている２以上の各内部電極及び／又は中間保護層と護岸斜面側の遮水シートとの間であって海面下に位置する部分における二重遮水シートの該長手方向に所定間隔毎に設置されている２以上の各内部電極に接続されている各配線が、海中で引き出されている場合には絶縁性と二重遮水シートの遮水性とが、陸上で引き出されている場合には絶縁性がそれぞれ確保されて二重遮水シート外部へと引き出されており、所定電圧が印加可能な電源部と通電電流値が測定可能な測定部とを備えた電源供給装置に二重遮水シートが敷設される海中又は護岸斜面上に設置される固定外部電極の配線が接続されており、且つ電源供給装置に前記各内部電極の配線が内部電極毎に通電可能にそれぞれ接続されているから、固定外部電極と任意の１つの内部電極との間で通電ができるか否かによって容易に二重遮水シートの損傷の有無が確認でき、また損傷孔があることを確認した後に各内部電極毎に固定外部電極との間で通電することによって、通電電流値の値が大きい内部電極ほど損傷孔の近くにあると考えられるので、各通電電流値を比較することによって損傷孔が二重遮水シートのどこにできているかを簡便に推定することができる。
【００１４】
また損傷孔の位置を厳密に特定したい場合には、長手方向と平行な線に対して略対称な形状の対向する一対の遮水シートの周囲の少なくとも海水と接する部分の端縁が密着されて袋状を成し廃棄物海面処分場の少なくとも護岸斜面の傾斜方向に沿って敷設される二重遮水シートの破損特定システムであって、二重遮水シートの略内部全体に配備されている中間保護層と海水側の遮水シートとの間であって海面下に位置する部分における二重遮水シートの該長手方向に所定間隔毎に設置されている２以上の各内部電極及び／又は中間保護層と護岸斜面側の遮水シートとの間であって海面下に位置する部分における二重遮水シートの該長手方向に所定間隔毎に設置されている２以上の各内部電極に接続されている各配線が、海中で引き出されている場合には絶縁性と二重遮水シートの遮水性とが、陸上で引き出されている場合には絶縁性がそれぞれ確保されて二重遮水シート外部へと引き出されており、所定電圧が印加可能な電源部と通電電流値が測定可能な測定部とを備えた電源供給装置に二重遮水シートが敷設される海中又は護岸斜面上に設置される固定外部電極の配線が通電可能又は遮断可能に接続されており、且つ電源供給装置に前記各内部電極の配線が内部電極毎に通電可能若しくは全てを遮断可能又は内部電極間で通電可能にそれぞれ接続されているから、二重遮水シート内部の３以上の内部電極間の通電も可能となり、従って、これらの多数の通電により得られる結果に基づいて未知数であった二重遮水シート内の各内部電極の抵抗値や損傷孔と各内部電極との間の内部抵抗値が算出でき、この内部抵抗値は損傷孔から二重遮水シート内部の各内部電極までの距離と比例することから、各内部抵抗値から損傷孔と各内部電極との間の距離を算出することで損傷孔の位置を厳密に算定できるのである。
【００１５】
これらの効果に加えて、固定外部電極が海中及び護岸斜面上に設置されている場合には、同じ内部電極に対する海中側の固定外部電極との通電と護岸斜面上の固定外部電極との通電とを行ってそれぞれの通電電流値を測定して比較することで、大きな通電電流値が測定された固定外部電極側の遮水シートに損傷孔が生じていることが容易に判別できるのである。
【００１６】
更に、上記の３以上の内部電極が設けられていて電源供給装置に固定外部電極の配線が通電可能又は遮断可能に接続されている場合において、算定された損傷孔の位置の略鉛直線上において所定の海中深さまで電極部を可動できる３以上の可動式外部電極を更に備えていて、電源供給装置に可動式外部電極の配線が可動式外部電極毎に通電可能若しくは全てを遮断可能又は可動式外部電極間で通電可能にそれぞれ接続されていると、固定外部電極等と内部電極との間の通電及び内部電極間の通電に加えて、固定外部電極や可動式外部電極による外部電極間の通電を行うことができ、新たに海中の抵抗値等が得られ、直接算出することが難しい損傷孔の抵抗値を除いて全ての各抵抗値をそれぞれ算出することが可能となるので、二重遮水シートの内部と外部とで通電して別途算出された全抵抗値の合計から損傷孔の抵抗値以外の各抵抗値を差し引き損傷孔の抵抗値を算出して、この損傷孔の抵抗値に応じて損傷孔の大きさも算定することができるのである。
【００１７】
また各内部電極が二重遮水シート内の中間保護層の幅方向中央部に設置されている場合には、損傷孔が二重遮水シートの幅方向のどちら側に生じても、測定の精度に大きな偏りが生じ難く、また中間保護層との間に各内部電極が配置されるように通水性シートが二重遮水シート内に更に設けられている場合には、内部電極の汚れや損傷を減少させることができる。
【発明を実施するための最良の形態】
【００１８】
以下、図面を用いて本発明に係る二重遮水シートの破損特定システムについて詳細に説明する。
図１は内部電極が２つ設置されている本発明に係る二重遮水シートの破損特定システムの１実施例の斜視説明図、図２は図１に示した二重遮水シートの構造を示す断面説明図、
図３は本発明に係る二重遮水シートの１実施例の正面説明図、図４は図３における二重遮水シートの内部電極間の回路説明図、図５は図３における二重遮水シートの内部電極と固定外部電極との間の回路説明図、図６は図３における二重遮水シートの可動外部電極間の回路説明図、図７は図３における二重遮水シートの内部電極と可動外部電極との間の回路説明図、図８は損傷孔の大きさと損傷孔抵抗との関係を示す概略説明図である。
【００１９】
図面中、１は長手方向と平行な線に対して略対称な形状の対向する一対の遮水シート1aの周囲の少なくとも海水と接する部分の端縁が密着されて袋状を成し廃棄物海面処分場の少なくとも護岸斜面の傾斜方向に沿って敷設される二重遮水シートである。二重遮水シート１の遮水シート1aとしては、略長方形状のものや、略二等辺三角形状のもの、略等脚台形状のもの等が使用できる。
【００２０】
２は二重遮水シート１の略内部全体に配備されている中間保護層であり、この中間保護層２としては、単体で構成されていたり、不織布、ウレタンシート、粘性土（ベントナイト）等を様々に組み合わせたもの等であってもよく、特にその構成は限定されないが、二重遮水シート１は浮力の高い海中に設置されるので、比較的比重の高いものが好ましく利用できる。
【００２１】
３は中間保護層２と海水側の遮水シート1aとの間であって海面下に位置する部分における二重遮水シート１の該長手方向に所定間隔毎に設置されている２以上の各内部電極及び／又は中間保護層２と護岸斜面側の遮水シート1aとの間であって海面下に位置する部分における二重遮水シート１の該長手方向に所定間隔毎に設置されている２以上の各内部電極であり、この内部電極３に接続されている各配線は、海中で引き出されている場合には絶縁性と二重遮水シート１の遮水性とが、陸上で引き出されている場合には絶縁性がそれぞれ確保されて二重遮水シート１外部へと引き出されていて、後述する電源供給装置５に接続されている。また各内部電極３が二重遮水シート１内の中間保護層２の幅方向中央部に設置されている場合、損傷孔が二重遮水シート１の幅方向のどちら側に生じても、測定の精度に大きな偏りが生じ難くて好ましい。
【００２２】
４は二重遮水シート１が敷設される海中及び／又は護岸斜面上に設置される固定外部電極であり、この固定外部電極４の配線は後述する電源供給装置５に接続されている。
【００２３】
５は所定電圧が印加可能な電源部5aと通電電流値が測定可能な測定部5bとを備えた電源供給装置であり、各内部電極３の配線や固定外部電極４の配線がそれぞれ接続される。この電源供給装置５には多数の電極の配線が接続されているが、通電電流値は２つの電極間を通電してその通電電流値が測定されるので、どの電極が通電や遮断されているかが重要となる。
そのため、固定外部電極４と内部電極３との間でのみ通電して通電電流値の大きさによって簡便に損傷孔の位置を推定するシステムの場合（請求項１及び請求項２）、全ての内部電極３が遮断されたり、全ての固定外部電極４が遮断されたりすることはない。これに対して、損傷孔の位置を厳密に算定するシステムの場合（請求項３及び請求項４）、内部電極３，３間や外部電極４，４間での通電が必要となるため、全ての外部電極４又は全ての内部電極３が遮断可能となっている。
【００２４】
６は算定された損傷孔の位置の略鉛直線上において所定の海中深さまで電極部を可動できる可動式外部電極であり、この可動式外部電極６の配線は可動式外部電極６毎に通電可能若しくは全てを遮断可能又は可動式外部電極６間で通電可能に電源供給装置５にそれぞれ接続されている。この可動式外部電極６は損傷孔の位置を厳密に算定した後に使用する外部電極であり、常時設置されていてもよいが、損傷孔が生じた二重遮水シート１上へと移動させることができるものであるのが好ましい。
【００２５】
７は中間保護層２との間に各内部電極３が配置されるように通水性シートであり、この通水性シート７は二重遮水シート１内に設けられている。この通水性シート７が更に設けられていれば、各内部電極３の汚れや損傷を減少させることができてより好ましい。
【００２６】
本発明には、内部電極３と固定外部電極４との間を通電してその通電電流値の大小によって、損傷孔の位置を簡便に推定するシステム（請求項１及び２）と、内部電極３と固定外部電極４との間の通電に加えて内部電極３，３間も通電して各種の抵抗値を算出して損傷孔の位置を厳密に算定するシステム（請求項３及び４）とがある。
損傷孔の位置を簡便に推定するシステム（請求項１及び２）は、二重遮水シート１の内部に設置された各内部電極３と二重遮水シート１の外部に設置された固定外部電極４との間で通電してそれらの通電電流値を測定して比較するだけであり、非常に簡便に損傷孔の位置を推定することができる。先ずこの損傷孔の位置を簡便に推定するシステム（請求項１及び２）の実施例を実施例１として以下に説明する。
【実施例１】
【００２７】
一般に二重遮水シート１は長手方向の長さが数十メートル、幅方向の長さが数メートル程度のものがしばしば利用されるが、この大きさの二重遮水シート１を使用して損傷孔の位置を変えながら試験を繰り返すことは非常に困難であるため、比較的小規模な長手方向の長さが３ｍ、幅方向の長さが０.８ｍの二重遮水シート１を製作して実験を行った。
図３のように、４つの内部電極３を中間保護層２の海面側に配置し、二重遮水シート１が海中に設置された際に最も海底側に位置する内部電極３（以下、第一内部電極と呼ぶ）を下端部から長手方向に０.２ｍの位置に配置し、その第一内部電極３から０.７ｍ間隔で第二内部電極３、第三内部電極３及び第四内部電極３を配置すると共に、第一内部電極３と第二内部電極３との中間地点、即ち第一内部電極３と第二内部電極３とからそれぞれ０.３５ｍ離れた地点に１ｃｍ四方の正方形の損傷孔を設け、海面上に位置する上端部側から各内部電極３の配線を引き出した二重遮水シート１を使用して実験を行った。
【００２８】
このような二重遮水シート１を使用し、内部電極３と固定外部電極４との間に規定電圧として５ボルトの直流電圧を印可し通電してその通電電流値を測定した。その結果を表１に示す。
【００２９】
【表１】
2008076355.tif 000003
【００３０】
上記の実験結果から、損傷孔が第一内部電極３及び第二内部電極３の近傍に存在していること、及び第一内部電極３と第二内部電極３とから略等距離であることが分かり、図３のような位置に損傷孔があることが分かる。
【００３１】
次に、損傷孔の位置を厳密に算定するシステム（請求項３及び４）では、内部電極３と固定外部電極４との間の通電電流値、及び内部電極３，３間の通電電流値を測定した後に、各種の抵抗値を算出するなどの処理が必要となる。そこで測定された各通電電流値から各種の抵抗値を算出して（実施例２）、損傷孔の位置を厳密に算定する過程（実施例３）を以下のように実施例と共に示す。またこの実施例を使用して損傷孔の大きさを算定する過程も示す（実施例４）。
【実施例２】
【００３２】
先ず、上記実施例１と同じ二重遮水シート１を使用して、図４のように二重遮水シート１の内部電極３，３間に規定電圧として５ボルトの直流電圧を印可し通電してその通電電流値を測定した。ここで第一内部電極３と第二内部電極３との間で通電した際にできる電気回路をオームの法則に従って数式で表すと以下のようになる。
【００３３】
Ｖ(５ボルト)／Ｉ(測定値)＝Re1＋Re2＋0.7・rd  ……(1)
【００３４】
なお規定電圧Ｖは既知の値であり、通電電流値Ｉは測定値として得られるから既知の値となり、Re1及びRe2は、それぞれ第一内部電極３の抵抗値と第二内部電極３の抵抗値であり未知である。rdは損傷孔が生じて海水が浸入した二重遮水シート１の内部の単位長さ当たりの抵抗値であり、このrdに第一内部電極３と第二内部電極３との間の距離（０.７ｍ）を乗じた0.7・rdは第一内部電極３と第二内部電極３との間の内部抵抗値Rdである。このように上記式(1)ではRe1，Re2及びrdの３つが未知数となっている。
上記のような２つの内部電極３，３間の式(1)は、内部電極３が４つある場合、２つの内部電極３の組合せが６通りあることから上記式(1)の如き式は６つ立てられる。またその際の未知数は各内部電極３の抵抗値Re1〜Re4と二重遮水シート１内部の単位長さ当たりの抵抗値rdの５つが未知数であるから、６つの式の中から５つの式を利用することで、これらを解くことができる。
【００３５】
なお、本実験によって実際に算定した内部電極３の各抵抗値Re1〜Re4は略同様な値となったため、これらをまとめて平均値とその標準偏差として以下に示し、また二重遮水シート１内部の単位長さ当たりの抵抗値rdについても、同様にその平均値と標準偏差とを以下に示す。
【００３６】
【表２】
2008076355.tif 000004
【００３７】
以上のように内部電極３，３間で通電し、その通電電流値を上記式(1)の如き式に代入して連立方程式を解くことにより、各内部電極３の抵抗値Re（Re1〜Re4）や二重遮水シート１内部の単位長さ当たりの抵抗値rdを算出することができるのである。なお上記のように各内部電極３の抵抗値Reはその平均値（１１.４Ω）に比べて標準偏差（１.５１Ω）が小さく、バラツキが少ないので、各内部電極３の各抵抗値Re1〜Re4を独立した未知数とするのではなく、単一の変数Reとして解けば、更に容易に解くこともできる。
【実施例３】
【００３８】
次に、内部電極３と固定外部電極４との間で通電し、その際の電気回路を上記式(1)のような式で表し、上記実施例２で得られた内部電極３の各抵抗値Re1〜Re4（Re）等を代入して解くことで、損傷孔と各内部電極３との間の内部抵抗値を算出することを試みた。また、算出された各内部抵抗値は損傷孔から二重遮水シート１内部の各内部電極３までの距離と比例することから、損傷孔と各内部電極３との間の距離を算出し、損傷孔の位置を厳密に算定した。
先ず上記二重遮水シート１を利用して、内部電極３，３間の通電の場合と同様に、図５のように内部電極３と固定外部電極４との間に規定電圧として５ボルトの直流電圧を印可した。ここで第一内部電極３と固定外部電極４との間で通電してできる電気回路をオームの法則に従って数式で表すと以下のようになる。
【００３９】
Ｖ(５ボルト)／Ｉ(測定値)＝Re1＋Rd1＋R  ……(2)
【００４０】
なお規定電圧Ｖは既知の値であり、通電電流値Ｉは測定値として得られるから既知の値となり、また第１内部電極３の抵抗値Re1も前記内部電極３，３間の通電結果から得られているため既知の値である。一方、損傷孔から第一内部電極３までの内部抵抗値 Rd1は未知である。また、二重遮水シート１の外部で生じる抵抗値としては固定外部電極４の抵抗値Ra，二重遮水シート１外部（海水等）の抵抗値Rb及び損傷孔の抵抗値Rcがあり、これらの合計値であるR(＝Ra＋Rb＋Rc)も未知である。
次に本実施例のように４つの内部電極３を使用した場合、上記式(2)のような式は各内部電極３毎に立てられるので、上記式(2)のような式が４つ立てられ、未知数は損傷孔から各内部電極３までの内部抵抗値Rd1〜Rd4と二重遮水シート１の外部の抵抗値の合計値Rとの５つとなる。
ここで図３の如く第一内部電極３から損傷孔までの距離と、損傷孔から第四内部電極３までの距離との和は、直接第一内部電極３と第四内部電極３とを結んだ距離と等しい。このような関係は、二重遮水シート１内部の距離に比例する内部抵抗値についても同様に成り立ち、第一内部電極３までの内部抵抗値Rd1と、損傷孔から第四内部電極３までの内部抵抗値Rd4との和は、直接第一内部電極３と第四内部電極３とを結んだ二重遮水シート１内部の内部抵抗値、即ち０.７ｍ×３×rdと等しく、rdは前記実施例２から得られているので０．７ｍ×３×rdは既知であり、このRd1及びRd4についての関係式は以下のように表すことができる。
【００４１】
Rd1＋Rd4＝０.７×３×rd  ……(3)
【００４２】
以上のように内部電極３と固定外部電極４との間で通電して通電電流値を測定すれば、上記式(2)及び式(3)のように式が５つ立てられ、未知数も内部抵抗値Rd1〜Rd4と二重遮水シート１外部の全抵抗値Rの５つであることから、容易に解くことができる。各内部電極３の内部抵抗値Rd1〜Rd4を表３に示す。
【００４３】
【表３】
2008076355.tif 000005
【００４４】
このようにして得られた損傷孔から各内部電極３までの内部抵抗値Rd1〜Rd4を、上記表２の単位長さ当たりの抵抗値rdで除すれば、損傷孔から各内部電極３までの距離が得られ、損傷孔の位置を厳密に算定することができるのである。その結果を表４に示す。
【００４５】
【表４】
2008076355.tif 000006
【００４６】
上記結果では第一内部電極３、第二内部電極３、第三内部電極３及び第四内部電極３の実験値との誤差が小さく、これらの実験値から、損傷孔が第一内部電極３及び第二内部電極３の近傍に存在していること、及び内部電極３との略距離が分かり、図３のような位置に損傷孔があることが厳密に算定できた。
【実施例４】
【００４７】
次に、損傷孔の大きさを算定する場合、損傷孔が小さいほど、大きな電気抵抗となることを利用して、損傷孔の抵抗値Rcを算出して損傷孔の大きさを算定する（請求項５）。その際、損傷孔の抵抗値Rcを直接測定したり直接算出したりすることは非常に困難であるため、損傷孔の抵抗値Rcを間接的に算出する。
先ず、図５のように固定外部電極４と内部電極３とを通電した場合、下記のような式(4)で表されるので、この右辺の全抵抗値（Ra＋Rb＋Rc＋Rd＋Re）を左辺の規定電圧Ｖ及び測定した通電電流値Ｉから算出し、次に、右辺の損傷孔の抵抗値Rc以外の全ての抵抗値（Ra，Rb，Rd，Re）をそれぞれ個々に算出して、全抵抗値から損傷孔の抵抗値Rc以外の各抵抗値を差し引くことで損傷孔の抵抗値Rcを算定する。
【００４８】
Ｖ(５ボルト)／Ｉ(測定値)＝Ra＋Rb＋Rc＋Rd＋Re  ……(4)
【００４９】
ここで、二重遮水シート１内部の抵抗値Rd及び内部電極３の抵抗値Reは、内部電極３，３間の通電及び内部電極３と固定外部電極４との間の通電によってできる各電気回路を表す式を連立させて解くことによって、実施例２及び実施例３で既に得られている。二重遮水シート１外部の抵抗値である固定外部電極４の抵抗値Ra及び二重遮水シート１外部（海水等）の抵抗値Rbも同様にして、二重遮水シート１外部に複数の可動式外部電極６を並べて、可動式外部電極６，６間を通電すると共に、実施例３のように内部電極３と外部電極（４又は６）との間で通電して、上記実施例２及び実施例３のように計算すれば得られる。その結果を表５に示す。
【００５０】
【表５】
2008076355.tif 000007
【００５１】
以上のように、全抵抗値（Ra＋Rb＋Rc＋Rd＋Re）の内、損傷孔の抵抗値Rc以外の抵抗値（Ra，Rb，Rd，Re）がそれぞれ表２，表３及び表５のように得られたので、式(4)の右辺の全抵抗値（Ra＋Rb＋Rc＋Rd＋Re）を左辺の規定電圧Ｖ及び測定した通電電流値Ｉから算出し、この全抵抗値から損傷孔の抵抗値Rc以外の抵抗値（Ra，Rb，Rd，Re）を差し引けば損傷孔の抵抗値Rcを算定することができる。そこで、本実施例では更に、様々な大きさの損傷孔を設けて、各損傷孔についてその抵抗値Rcを算出して、損傷孔が小さいほど、抵抗値Rcが大きく算出されること及び算出された抵抗値Rcから補修の有無が的確に判断できることを示す。
【００５２】
第一内部電極３と第二内部電極３との中間地点に、１ｃｍ四方の正方形の損傷孔の他に、０.１ｃｍ四方、０.３ｃｍ四方、０.５ｃｍ四方、２ｃｍ四方、３ｃｍ四方、５ｃｍ四方、１０ｃｍ四方、２０ｃｍ四方、３０ｃｍ四方の各正方形状の損傷孔を順次設けてその抵抗値Rcを算出した。その実験結果を図８に示す。
【００５３】
この図８から損傷孔の抵抗値Rcと損傷孔の大きさとが反比例することが明確となった。
また損傷孔面積が１ｃｍ2未満（０.１ｃｍ四方、０.３ｃｍ四方、０.５ｃｍ四方の各損傷孔）の場合、損傷孔の抵抗値Rcは非常に大きな値として表れ、また綺麗な曲線とならないことから誤差が大きいことが分かる。このような大きさの場合、誤差が比較的大きいが、損傷孔の抵抗値Rc自体の値が非常に大きな値で算出されるので損傷孔が非常に小さいことは容易に判断できる。このように小さい損傷孔であることを把握した上で補修の必要性が判断できることは非常に大きな意味がある。
次に、１〜１０ｃｍ2程度の損傷孔（１ｃｍ四方、２ｃｍ四方、３ｃｍ四方の各損傷孔）では補修を行うか否かの判断が必要となるため、できるだけ正確に大きさを算定する必要がある。図８のようにこのような大きさの損傷孔では２０〜４０Ω程度の値が表れ、図８のように綺麗な曲線を示しており誤差も少ないと考えられ、損傷孔の大きさを比較的的確に判断でき、適切な補修方法の選択が可能となることは非常に大きな意味がある。
また、損傷孔の大きさが１０ｃｍ2超える場合（５ｃｍ四方、１０ｃｍ四方、２０ｃｍ四方、３０ｃｍ四方の各損傷孔）は、通常、補修を行う必要があるが、このような大きさの損傷孔では損傷孔の抵抗値Rcは非常に小さく表れる。損傷孔の抵抗値Rcがこのように非常に小さい値で算出された場合、損傷孔が生じていない時の誤差とも考えられるが、損傷孔の大きさの算定は、内部電極３と固定外部電極４との間で通電して損傷孔が生じていることを確認した後に行うので、損傷孔が生じていない時の誤差である可能性はない。従って算出した損傷孔の抵抗値Rcの値が零に近い値となっていれば、大きな損傷孔が生じていて補修が必要であることが容易に分かるのである。
【００５４】
以上のように、本発明は少数のデータを解析して損傷孔の位置等を算定することができるため、潮汐、波浪等の時々刻々変化する厳しい外的作用を受ける廃棄物海面処分場に特に適しており、また損傷孔の位置を簡便に推定できるだけでなく（請求項１及び２）、内部電極３と固定外部電極４との間の通電に加えて内部電極３，３間も通電して各種の抵抗値を算出して損傷孔の位置を厳密に算定することができ（請求項３及び４）、更にはその損傷孔の大きさも算定することができるのである（請求項５）。
なお、実施例に示した解析方法はあくまでも一例に過ぎず、本発明は必ずしもこの解析方法に限定される発明ではなく、同様な解析方法であればどのような解析方法を使用してもよい。
【図面の簡単な説明】
【００５５】
【図１】内部電極が２つ設置されている本発明に係る二重遮水シートの破損特定システムの１実施例の斜視説明図である。
【図２】図１に示した二重遮水シートの構造を示す断面説明図である。
【図３】本発明に係る二重遮水シートの１実施例の正面説明図である。
【図４】図３における二重遮水シートの内部電極間の回路説明図である。
【図５】図３における二重遮水シートの内部電極と固定外部電極との間の回路説明図である。
【図６】図３における二重遮水シートの可動外部電極間の回路説明図である。
【図７】図３における二重遮水シートの内部電極と可動外部電極との間の回路説明図である。
【図８】損傷孔の大きさと損傷孔抵抗との関係を示す概略説明図である。
【符号の説明】
【００５６】
１  二重遮水シート
1a  遮水シート
２  中間保護層
３  内部電極
４  固定外部電極
５  電源供給装置
5a  電源部
5b  測定部
６  可動式外部電極
７  通水性シート
【図１】
2008076355.tif 000008
【図２】
2008076355.tif 000009
【図３】
2008076355.tif 000010
【図４】
2008076355.tif 000011
【図５】
2008076355.tif 000012
【図６】
2008076355.tif 000013
【図７】
2008076355.tif 000014
【図８】
2008076355.tif 000015